(57)【要約】【課題】通話時に使用者の頭部とアンテナ間に一定の距離を確保できて通話時利得を改善できる二つ折れ式携帯無線機を提供する。【解決手段】二つ折れ式携帯電話機１は、受話部５を有する上部筺体２と、送話部６を有し上部筺体２にヒンジ部４を介して回動可能に連結された下部筺体３とを備える。下部筺体３の上部筺体２との連結側となる一端部は、その一端部内にアンテナ素子１０を内蔵したアンテナ部９である。使用状態での下部筺体３の前面からのヒンジ部４の突出寸法は、１０．５〜３５．０ｍｍである。【選択図】        図２
2004297535.tif 000002
【特許請求の範囲】
【請求項１】
受話部を有する上部筺体と、送話部を有し前記上部筺体にヒンジ部を介して回動可能に連結された下部筺体とを備え、前記下部筺体の前記上部筺体との連結側となる一端部を、その一端部内にアンテナ素子を内蔵したアンテナ部とした二つ折れ式携帯無線機において、
使用状態での前記下部筺体の前面からの前記ヒンジ部の突出寸法を、１０．５ｍｍ以上としたことを特徴とする二つ折れ式携帯無線機。
【請求項２】
使用状態での前記下部筺体の前面からの前記ヒンジ部の突出寸法を、１０．５〜３５．０ｍｍとしたことを特徴とする請求項１に記載の二つ折れ式携帯無線機。
【請求項３】
受話部を有する上部筺体と、送話部を有し前記上部筺体にヒンジ部を介して回動可能に連結された下部筺体とを備え、前記下部筺体の前記上部筺体との連結側となる一端部にこの端部から突出するホイップアンテナを設けた二つ折れ式携帯無線機において、
前記下部筺体の前面から前記ホイップアンテナの中心軸までの筺体厚み方向距離をＺｍｍとするとき、使用状態での前記下部筺体の前面からの前記ヒンジ部の突出寸法を、（１０．５−Ｚ）ｍｍ以上としたことを特徴とする二つ折れ式携帯無線機。
【請求項４】
使用状態での前記下部筺体の前面からの前記ヒンジ部の突出寸法を、｛（１０．５〜３５．０）−Ｚ｝ｍｍとしたことを特徴とする請求項３に記載の二つ折れ式携帯無線機。
【発明の詳細な説明】
【０００１】
【発明の属する技術分野】
この発明は、受話部を有する上部筺体と、送話部を有する下部筺体とを、ヒンジ部を介して回動自在に連結した携帯電話機などの二つ折れ式携帯無線機に関する。
【０００２】
【従来の技術】
一般的な二つ折れ式携帯電話機は、受話部を有する上部筺体と、送話部を有する下部筺体とを、ヒンジ部を介して回動自在に連結して構成され、アンテナは、下部筺体にその連結側となる一端部から突出するように設けられている（例えば特許文献１）。このように、アンテナを下部筺体の連結側端部から突出させることで、使用者の頭部から離れる方向にアンテナが延伸するため、アンテナが人体から受ける影響を軽減でき、アンテナ利得の低下を抑制することができる。
【０００３】
二つ折れ式携帯電話機の他の例として、受話部を有する上部筺体と、送話部を有する下部筺体とを、ヒンジ部を介して回動自在に連結すると共に、アンテナを、下部筺体の背面から下部筺体の後方側に突出するように設けたものも知られている（例えば特許文献２）。この携帯電話機の場合、下部筺体の背面から下部筺体後方側にアンテナが突出することから、引き出したアンテナを使用者の頭部から十分に離してアンテナの感度を改善することができる。
【０００４】
さらに、最近の二つ折れ式携帯電話機には、下部筺体の内部にアンテナを内蔵させたものもある。
【０００５】
【特許文献１】
登録特許第２５７６３６７号公報
【特許文献２】
特開２００１−２５７５１４号公報
【０００６】
【発明が解決しようとする課題】
一般に、アンテナの利得は人体の影響を受けて劣化しやすいので、アンテナの設置位置は使用形態を考慮して決定する必要がある。例えば、アンテナの利得は、アンテナと人体間の距離に大きく影響されるので、所望の通信利得を確保するためには、アンテナと人体間の距離に配慮することが重要となる。とくに、上述したような二つ折れ式携帯電話機で、下部筺体にアンテナを設けた携帯電話機の場合、音声通話時には、上部筺体と下部筺体を開いて、上部筺体の受話部を耳に当てると共に下部筺体の送話部を口許に近づけて使用するので、下部筺体に設けられたアンテナと人体間の距離を取ることが難しく、通信利得が劣化するという問題点を有する。さらに、下部筺体の内部にアンテナを内蔵させた構成の二つ折れ式携帯電話機では、アンテナを下部筺体以上に使用者の頭部から離すことができないので、通信利得の劣化を改善するのは容易でない。
【０００７】
この発明は、上述の点に鑑みてなされたもので、通話時に使用者の頭部とアンテナ間に一定の距離を確保できて通話時利得を改善できる二つ折れ式携帯無線機を提供することを目的とする。
【０００８】
【課題を解決するための手段】
この発明の請求項１にかかる二つ折れ式携帯無線機は、受話部を有する上部筺体と、送話部を有し前記上部筺体にヒンジ部を介して回動可能に連結された下部筺体とを備え、前記下部筺体の前記上部筺体との連結側となる一端部を、その一端部内にアンテナ素子を内蔵したアンテナ部とした二つ折れ式携帯無線機であって、使用状態での前記下部筺体の前面からの前記ヒンジ部の突出寸法を、１０．５ｍｍ以上としたことを特徴とする。
【０００９】
この発明の請求項３にかかる二つ折れ式携帯無線機は、受話部を有する上部筺体と、送話部を有し前記上部筺体にヒンジ部を介して回動可能に連結された下部筺体とを備え、前記下部筺体の前記上部筺体との連結側となる一端部にこの端部から突出するホイップアンテナを設けた二つ折れ式携帯無線機であって、前記下部筺体の前面から前記ホイップアンテナの中心軸までの筺体厚み方向距離をＺｍｍとするとき、前記下部筺体の前面からの前記ヒンジ部の突出寸法を、（１０．５−Ｚ）ｍｍ以上としたことを特徴とする。
【００１０】
【発明の実施の形態】
実施の形態１．
図１（Ａ），（Ｂ）は、この発明の実施の形態１による二つ折れ式携帯電話機の展開状態および閉じ状態を示す正面図である。この二つ折れ式携帯電話機１は、受話部であるスピーカ５を有する上部筺体２と、送話部であるマイク６を有する下部筺体３とを備え、下部筺体３はヒンジ部４を介して前記上部筺体２に回動可能に連結されている。上部筺体２の前面には、前記スピーカ５のほかに、情報を表示するためのディスプレイ７が設けられている。下部筺体３の前面には、前記マイク６のほかに、電話番号や文字を入力するためのダイヤルボタン、ディスプレイ７に表示される場面によって異なる機能が割り当てられたセレクタなどからなる操作部８が設けられている。使用時には上部筺体２と下部筺体３がヒンジ部４を回動中心として図１（Ａ）のように展開され、非使用時には図１（Ｂ）のように上部筺体２と下部筺体３が重なって、下部筺体３の操作部８を上部筺体２が覆うように折り畳まれる。なお、下部筺体３の長さは１００ｍｍ程度、幅は５０ｍｍ程度、厚さ（下部筺体３の背面から操作部８が設けられた前面までの高さ）は１５ｍｍ程度とされている。折り畳み状態での携帯電話機１全体の厚さは２５ｍｍ程度とされている。
【００１１】
図２（Ａ），（Ｂ）は、この二つ折れ式携帯電話機１の展開状態および閉じ状態を示す右側面図および左側面図である。下部筺体３の上部筺体２への連結側である一端部は、内部にアンテナ素子１０（図３）を内蔵したアンテナ部９とされている。すなわち、図２（Ａ）において、下部筺体３におけるヒンジ部４の下位置から上部筺体２への連結側端部までの部分（図２（Ａ）で破線で区切られた部分）がアンテナ部９とされている。なお、下部筺体３の前面（操作部８が設けられた面）とアンテナ部９の同じく前面とは略面一であるものとして以下の説明を進める。そして、前記アンテナ素子１０に給電することにより、アンテナ部９全体がアンテナとして作用する。
【００１２】
前記ヒンジ部４は、例えば下部筺体３に一体形成されその前面側に突出する左右一対のブラケット４ａ，４ａと、上部筺体２の一端部に一体形成された回転軸４ｂとからなり、その回転軸４ｂが前記左右のブラケット４ａ，４ａで回転自在に支持されることで、下部筺体３が上部筺体２に回動可能に連結される。このヒンジ部４は、使用状態において下部筺体３の前面から前面側（図２（Ａ）の矢印Ａの方向）へ所定寸法Ｘだけ張り出すように設けられる。この張り出し寸法Ｘは、１０．５〜３５．０ｍｍに設定されている。
【００１３】
この二つ折れ式携帯電話機１を用いて通話する場合、使用者は携帯電話機１を図３に概略断面図で示すように展開状態とし、その上部筺体２のスピーカ５を耳に当て、下部筺体３のマイク６が口許にくるように下部筺体３を保持する。このとき、下部筺体３の前面側に突出するヒンジ部４が、使用者の頭部Ｈに接触する。この使用状態で、上部筺体２の背面は、アンテナ部９からの電波を反射する反射板として作用するので、通話時利得の改善に有利となる。とくに、使用状態での下部筺体３の前面からのヒンジ部４の突出量Ｘを１０．５〜３５．０ｍｍとしているので、従来の携帯電話機よりもアンテナ部９を使用者の頭部Ｈから離すことができ、通話時利得を改善することができる。
【００１４】
図４（Ａ），（Ｂ）は、この実施の形態１の二つ折れ式携帯電話機１における前記ヒンジ部４の下部筺体３の前面からの突出量Ｘを１０．５〜３５．０ｍｍとした根拠を説明するために、従来の二つ折れ式携帯電話機で行った通話試験の説明図である。この場合の従来の二つ折れ式携帯電話機１１も、図４（Ｂ）のように、上部筺体１２と下部筺体１３とがヒンジ部１４を介して回動自在に連結され、下部筺体１３のヒンジ部１４設置位置から連結側端部までがアンテナ素子（図示せず）を内蔵したアンテナ部１９とされている。ただし、下部筺体１３の前面からのヒンジ部１４の突出寸法Ｙは、試験に用いた種々の従来の携帯電話機では８〜１０ｍｍ程度である。
【００１５】
図５（Ａ），（Ｂ）は、この従来の携帯電話機１１を図４（Ａ）のように使用して、アンテナ素子が内蔵されたアンテナ部１９と頭部Ｈとの距離を変えることにより、通信利得がどのように推移するか試験した結果を示す説明図である。具体的には、図４（Ａ）のように、上部筺体１２のスピーカ（図示せず）を頭部Ｈの耳に当て、下部筺体１３のマイク（図示せず）が口許にくるように下部筺体１３を保持しながら、下部筺体１３のマイクを少しずつ遠ざけることで、アンテナ部１９と頭部Ｈとの距離を変化させた。具体的には、ヒンジ部１４と頭部Ｈとの距離を、０ｍｍ（ヒンジ部１４と頭部Ｈが密着した状態）〜２５ｍｍの範囲で変化させ、所定距離（２．５ｍｍ）ごとに通話時利得を測定した。なお、この試験において、携帯電話機１１が使用した信号の周波数は８００ＭＨｚである。図５（Ａ）は測定結果の一例を示すデータであり、図５（Ｂ）はそのデータをグラフ化したものである。この測定結果は、ヒンジ部１４と頭部Ｈとの距離と、通信利得との関係を示すものであるが、下部筺体１３の前面からのヒンジ部１４の突出寸法Ｙ（８〜１０ｍｍ）を前記データに加算することにより、アンテナ部１９と頭部Ｈとの距離と読み替えることができる。
【００１６】
図５（Ａ），（Ｂ）の測定結果によると、ヒンジ部１４と頭部Ｈとの距離を離すほど通話時利得が順調に改善することが理解できる。例えば、図５（Ａ）に示されるように、ヒンジ部１４が頭部Ｈに密着しているヒンジ部・頭部間距離０ｍｍ（アンテナ部１９と頭部Ｈとの距離は８〜１０ｍｍ）での通話時利得は−１４．６３ｄＢｄであるのに対して、ヒンジ部１４と頭部Ｈ間の距離が１０ｍｍ（アンテナ部１９との距離は１８〜２０ｍｍ）での通話時利得は−１３．６５ｄＢｄに上昇し、さらにヒンジ部１４と頭部Ｈ間の距離が２５ｍｍ（アンテナ部１９との距離は３３〜３５ｍｍ）での通話時利得は−１２．５３ｄＢｄに上昇している。このように、上記試験結果は、頭部Ｈとアンテナ部１９との距離が大きくなるほど通話時利得が改善されることを示しているので、この実施の形態１による二つ折れ式携帯電話機１においても、頭部Ｈと下部筺体３との間に位置するヒンジ部４を大きくすることで頭部Ｈとアンテナ部９との距離を大きくすることが、通話時利得の改善に有効な手段となる。
【００１７】
このような理由により、この実施の形態１による二つ折れ式携帯電話機１では、使用状態での下部筺体３の前面からのヒンジ部９の突出寸法Ｘ（図２（Ａ））を、１０．５〜３５．０ｍｍの範囲に設定している。すなわち、この値は、上記試験において通話時利得の改善が見られるヒンジ部１４と頭部Ｈ間の距離（２．５〜２５ｍｍ）に、ヒンジ部１９の突出寸法Ｙ（８〜１０ｍｍ）を加算した値である。このように、下部筺体３の前面からのヒンジ部４の突出寸法を設定することにより、通話時に自然に人体頭部Ｈに接触することになるヒンジ部４のために、頭部Ｈとアンテナ部９間の距離を大きくすることができ、ヒンジ部１４の突出寸法Ｙが８〜１０ｍｍ程度である従来の携帯電話機１１に比べて通話時利得を改善することができる。なお、上記試験は８００ＭＨｚの周波数帯で行ったが、それ以外の周波数帯、例えば２ＧＨｚの周波数帯を用いても同様の効果が得られる。また、アンテナ利得に着目する限り、ヒンジ部９の突出寸法Ｘを３５．０ｍｍよりも大きくすることによりさらに改善された効果を期待できる。しかし、ヒンジ部９の突出寸法Ｘを大きくすると、マイクと口許の距離も大きくなり、マイクに入力される話者音声が劣化し、背景雑音が大きくなるという問題が生じる。したがって、ヒンジ部寸法をを３５ｍｍ程度までにすることにより、良好なアンテナ特性を実現でき、かつ、良好なマイク感度（話者音声入力をＳとした場合のＳ／Ｎ比）をも実現できる。
【００１８】
実施の形態２．
前記実施の形態１では、下部筺体３における連結側の端部が、アンテナ素子１０を内蔵したアンテナ部９とされた携帯電話機１の場合について説明したが、これに限らず、下部筺体３における連結側の端部からホイップアンテナを突出させた二つ折れ式携帯電話機の場合にも、下部筺体３の前面側に突出するヒンジ部４の突出寸法を同様の考え方で設定して、通話時利得を改善することができる。この二つ折れ式携帯電話機の場合、下部筺体３の前面からホイップアンテナの中心軸までの筺体厚さ方向の距離をＺｍｍとすると、実施の形態１におけるヒンジ部４の突出寸法Ｘ（１０．５〜３５．０ｍｍ）から上記値Ｚを引いた値、｛（１０．５〜３５．０）−Ｚ｝ｍｍを下部筺体の前面側に突出するヒンジ部の突出寸法として設定すれば良い。
【００１９】
これにより、使用時に人体頭部と下部筺体との間に介在するヒンジ部のために、人体頭部とホイップアンテナの中心軸との距離は、１０．５〜３５．０ｍｍとなるので、実施の形態１の場合と同様に通話時利得を改善することができる。
【００２０】
なお、ヒンジ部の突出寸法が（３５．０−Ｚ）ｍｍよりも大きくてもよいことは上記実施の形態１と同様である。
【００２１】
また、以上の各実施の形態１，２では、携帯電話機の場合を例示して説明したが、これに限らず、例えば二つ折れ式トランシーバーに適用しても同様に通話時利得を改善することができる。
【００２２】
【発明の効果】
この発明のうち請求項１にかかるものは、受話部を有する上部筺体と、送話部を有し前記上部筺体にヒンジ部を介して回動可能に連結された下部筺体とを備え、前記下部筺体の前記上部筺体との連結側となる一端部を、その一端部内にアンテナ素子を内蔵したアンテナ部とした二つ折れ式携帯無線機であって、使用状態での前記下部筺体の前面からの前記ヒンジ部の突出寸法を、１０．５ｍｍ以上としたので、通話時に使用者の頭部とアンテナ間に従来よりも大きな距離を確保でき、従来と比べて通話利得を改善できる。
【００２３】
この発明のうち請求項３にかかるものは、受話部を有する上部筺体と、送話部を有し前記上部筺体にヒンジ部を介して回動可能に連結された下部筺体とを備え、前記下部筺体の前記上部筺体との連結側となる一端部にこの端部から突出するホイップアンテナを設けた二つ折れ式携帯無線機であって、前記下部筺体の前面から前記ホイップアンテナの中心軸までの筺体厚み方向距離をＺｍｍとするとき、使用状態での前記下部筺体の前面からの前記ヒンジ部の突出寸法を、（１０．５−Ｚ）ｍｍ以上としたので、通話時に使用者の頭部とホイップアンテナ間に従来よりも大きな距離を確保でき、従来と比べて通話利得を改善できる。
【図面の簡単な説明】
【図１】（Ａ）はこの発明の実施の形態１にかかる二つ折れ式携帯電話機の展開状態を示す正面図、（Ｂ）は同携帯電話機の閉じ状態を示す正面図である。
【図２】（Ａ）は同携帯電話機の展開状態を示す右側面図、（Ｂ）は同携帯電話機の閉じ状態を示す左側面図である。
【図３】同携帯電話機の使用状態を示す説明図である。
【図４】（Ａ）は従来の携帯電話機による試験の説明図、（Ｂ）は試験に使用した携帯電話機の展開状態を示す側面図である。
【図５】（Ａ）は試験結果のデータを示す図、（Ｂ）は同試験結果をグラフ化した図である。
【符号の説明】
１  二つ折れ式携帯電話機、２  上部筺体、３  下部筺体、４  ヒンジ部、５スピーカ（受話部）、６  マイク（送話部）、９  アンテナ部、１０  アンテナ素子。
【図１】
2004297535.tif 000003
【図２】
2004297535.tif 000004
【図３】
2004297535.tif 000005
【図４】
2004297535.tif 000006
【図５】
2004297535.tif 000007